(57)【要約】【課題】十分な吸収性能が発現できると共に、吸収体の柔軟性が向上して着用者にフィットし易く、着用感に優れる吸収性物品を提供すること。【解決手段】本発明の吸収性物品１は、肌側シート２、非肌側シート３と、これら両シート２，３間に介在された吸収性コア４１とを備える。吸収性コア４１は、前方区域Ａ側の第一領域４１Ｆ及び後方区域Ｃ側の第三領域４１Ｒとの間に第二領域４１Ｍを有し、第二領域４１Ｍに第一領域４１Ｆ及び第三領域４１Ｒよりも坪量の多いい高坪量部４２を備える。高坪量部４２は、吸収性コア４１の縦方向Ｘの長さよりも短く、その縦方向Ｘに沿う両側縁４２ｓが吸収性コア４１の両側縁４１ｓにまで及ぶ。高坪量部４２には、互いに離間した、構成繊維の密度の高い複数の高密度部４７が配されている。【選択図】図１
2018102641.tif 000002
【特許請求の範囲】
【請求項１】
肌側シートと、非肌側シートと、これら両シート間に介在された吸収性コアとを備え、着用者の前後方向に対応する縦方向と該縦方向に直交する横方向とを有し、前方区域及び後方区域を有する吸収性物品であって、
前記吸収性コアは、前記前方区域側に位置する第一領域と前記後方区域側に位置する第三領域との間に第二領域を有し、該第二領域には、該第一領域側及び該第三領域側における坪量よりも、坪量の多い高坪量部を備えており、
前記高坪量部は、前記吸収性コアを平面視して、該高坪量部の縦方向の長さが該吸収性コアの縦方向の長さよりも短く、該高坪量部の縦方向に沿う両側縁が該吸収性コアの縦方向に沿う両側縁にまで及んでおり、
前記高坪量部は、前記吸収性コアを平面視して、横方向の中央部における縦方向の長さが、該高坪量部の前記側縁の縦方向の長さよりも長く、
前記高坪量部には、互いに離間した、構成繊維の密度の高くなった複数の高密度部が配されている、吸収性物品。
【請求項２】
前記吸収性コアを平面視して、前記高坪量部は、縦方向の長さが、横方向の中央部から前記側縁に向かって漸減する部分を有する、請求項１に記載の吸収性物品。
【請求項３】
前記吸収性コアを平面視して、複数の前記高密度部は、前記高坪量部の横方向の中央部に配されており、該高密度部においては、前記肌側シート及び前記吸収性コアが共に密度が高くなっている、請求項１又は２に記載の吸収性物品。
【請求項４】
前記肌側シートの肌対向面に、該肌側シート、及び前記吸収性コアを備える吸収体が前記非肌側シート側に向かって一体的に凹陥してなる線状圧搾溝が形成されている、請求項１〜３の何れか１項に記載の吸収性物品。
【請求項５】
前記肌側シートは、前記吸収性コアの前記高坪量部と重なる位置に、肌対向面側に突出した凸部を複数有している、請求項１〜４の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、生理用ナプキン、使い捨ておむつ等の吸収性物品においては、排泄された体液が多い場合などでは、日常の生活行動の中においても液漏れに繋がる場合があった。そのため、吸収性物品の吸収性コアにおいて、中央部分に坪量の大きい中高部分を設けることにより広い範囲で体液を吸収する方法が提案されている（例えば特許文献１〜２）。特許文献１では、吸収性物品の吸収性コアにおいて、中央領域に、他の部分よりも高さが高く密度も高い中央部を設け、該中央部が吸収性コアの全幅に亘って配されている吸収性物品が記載されている。また、特許文献２には、吸収性物品の吸収体が、積層状態にある上方吸収部と下方吸収部とを含み、上方吸収部の幅と下方吸収部の幅とが同じ寸法となっている吸収性物品が記載されている。
【０００３】
また、これらの技術とは別の技術として、柔軟性と吸液性との両立を図るために、吸収性物品の表面側から裏面側に向かって吸収層に至るまで凹んだ複数の圧縮凹部を備える吸収性物品が知られている（特許文献３）。
【先行技術文献】
【特許文献】
【０００４】
【特許文献１】特開昭６１−６０２号公報
【特許文献２】特開２０１２−８１２４６号公報
【特許文献３】特開２０１３−１４６４０５号公報
【発明の概要】
【発明が解決しようとする課題】
【０００５】
しかし、特許文献１〜２には、吸収性物品に、吸収体にまで凹んだ高圧搾部を配することに関して何ら記載されていない。そして、特許文献３には、吸収性物品の吸収性コアに、中央部分の中高部分が吸収性コアの全幅に亘って配されている吸収性コアを用いることに関して何ら記載されていない。
【０００６】
従って本発明は、前述した従来技術が有する欠点を解消し得る吸収性物品を提供することにある。
【課題を解決するための手段】
【０００７】
本発明は、肌側シートと、非肌側シートと、これら両シート間に介在された吸収性コアとを備え、着用者の前後方向に対応する縦方向と該縦方向に直交する横方向とを有し、前方区域及び後方区域を有する吸収性物品であって、前記吸収性コアは、前記前方区域側に位置する第一領域と前記後方区域側に位置する第三領域との間に第二領域を有し、該第二領域には、該第一領域側及び該第三領域側における坪量よりも、坪量の多い高坪量部を備えており、前記高坪量部は、前記吸収性コアを平面視して、該高坪量部の縦方向の長さが該吸収性コアの縦方向の長さよりも短く、該高坪量部の縦方向に沿う両側縁が該吸収性コアの縦方向に沿う両側縁にまで及んでおり、前記高坪量部は、前記吸収性コアを平面視して、横方向の中央部における縦方向の長さが、該高坪量部の前記側縁の縦方向の長さよりも長く、前記高坪量部には、互いに離間した、構成繊維の密度の高くなった複数の高密度部が配されている、吸収性物品を提供するものである。
【発明の効果】
【０００８】
本発明によれば、十分な吸収性能が発現できると共に、吸収体の柔軟性が向上して着用者にフィットし易く、着用感に優れる。
【図面の簡単な説明】
【０００９】
【図１】本発明の吸収性物品の好ましい一実施形態である生理用ナプキンの肌対向面側（肌側シート側）を示す平面図である。
【図２】図１に示す生理用ナプキンにおける肌側シートの部分平面図である。
【図３】図１に示す生理用ナプキンの有する吸収性コアにおける肌対向面側の平面図である。
【図４】図３のＶ−Ｖ線断面を模式的に示す断面図である。
【図５】図３のＶＩ−ＶＩ線断面を模式的に示す断面図である。
【図６】図１に示す生理用ナプキンの有する肌側シートと吸収性コアとの配置関係を示す拡大平面図である。
【図７】図６のＶＩＩＩ−ＶＩＩＩ線断面を模式的に示す断面図である。
【図８】図３に吸収性コアの製造工程を説明する説明図である。
【図９】図１に示すＸ−Ｘ線断面を模式的に示す断面図である。
【図１０】本発明の吸収性物品の好ましい他の実施形態である生理用ナプキンの有する他の実施形態の吸収性コアを肌対向面側から視た平面図である。
【図１１】図１０に示す吸収性コアを備える他の実施形態の生理用ナプキンを横方向に沿って断面視した断面図である（図９相当図）。
【発明を実施するための形態】
【００１０】
以下、本発明の吸収性物品を、その好ましい一実施形態である生理用ナプキン１（以下、「ナプキン１」とも言う。）に基づき図面を参照して説明する。図１には、本実施形態のナプキン１を肌側シート側から視た平面図が示されている。本実施形態のナプキン１は、図１に示すように、肌対向面を形成する肌側シート２と、非肌対向面を形成する非肌側シート３と、これら両シート２，３間に介在された吸収性コア４１とを備え、着用者の前後方向に対応する縦方向Ｘと該縦方向Ｘに直交する横方向Ｙとを有し、前方区域Ａ及び後方区域Ｃを有する。ナプキン１は、図１に示すように、着用者の液排泄部に対向配置される中間区域Ｂと、該中間区域Ｂの縦方向Ｘの前後に配置された前方区域Ａ及び後方区域Ｃとに区分されている。
【００１１】
本明細書において、縦方向Ｘは、着用者の前後方向に対応しており、吸収性物品（ナプキン１）の長手方向に一致し、横方向Ｙは、吸収性物品（ナプキン１）の幅方向（長手方向に直交する方向）に一致している。従って、特段の断りがない場合には、本明細書において、長手方向（縦方向Ｘ）の長さは、縦方向Ｘで測定される距離である「長さ」を意味し、横方向Ｙの長さは、横方向Ｙで測定される距離である「幅」を意味する。ナプキン１は、縦方向Ｘに延びる中心線ＣＬに対して左右対称に形成されている。縦方向Ｘとは、中心線ＣＬに平行な方向でもある。また、本明細書において、肌対向面は、吸収性物品（ナプキン１）又はその構成部材である例えば吸収体４における、吸収性物品（ナプキン１）の着用時に着用者の肌側に向けられる面であり、非肌対向面は、吸収性物品（ナプキン１）又はその構成部材である例えば吸収体４における、吸収性物品（ナプキン１）の着用時に肌側とは反対側（着衣側）に向けられる面である。
【００１２】
ナプキン１は、図１に示すように、着用時に着用者の液排泄部（膣口等）に対向配置される中間区域Ｂと、該中間区域Ｂよりも着用者の腹側（前側）寄りに配される前方区域Ａと、該中間区域Ｂよりも着用者の背側（後側）寄りに配される後方区域Ｃとを有している。即ち、ナプキン１は、縦方向Ｘに、前方区域Ａ、中間区域Ｂ及び後方区域Ｃの順番で区分される。
【００１３】
尚、本発明の吸収性物品において、中間区域Ｂとは、本実施形態のナプキン１のようにウイング部１Ｗを有する場合には、縦方向Ｘにおいてウイング部１Ｗを有する領域（一方のウイング部１Ｗの縦方向Ｘに沿う付け根と他方のウイング部１Ｗの縦方向Ｘに沿う付け根とに挟まれた領域）を意味する。また、ウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１４】
本実施形態のナプキン１は、図１に示すように、肌対向面を形成する液透過性の肌側シート２、非肌対向面を形成する非肌側シート３、及びこれら両シート２，３間に介在された吸収体４を具備している。吸収体４は、吸収性コア４１と、該吸収性コア４１を包むコアラップシート（不図示）とから構成されている。
【００１５】
ナプキン１では、肌側シート２は、図１に示すように、吸収体４の肌対向面の全域を被覆し、吸収体４の縦方向Ｘに沿う両側縁から横方向Ｙの外方に延出している。一方、非肌側シート３は、吸収体４の非肌対向面の全域を被覆し、更に肌側シート２の縦方向Ｘに沿う両側縁から横方向Ｙの外方に延出して、後述するサイドシート５と共にサイドフラップ部１Ｓを形成している。非肌側シート３とサイドシート５とは、吸収体４の縦方向Ｘに沿う両側縁からの延出部において、接着剤、ヒートシール、超音波シール等の公知の接合手段によって互いに接合されている。尚、肌側シート２及び非肌側シート３それぞれと吸収体４との間は接着剤によって接合されていてもよい。
【００１６】
ナプキン１では、サイドシート５は、図１に示すように、肌側シート２の肌対向面における縦方向Ｘに沿う両側部に配されている。好適には、サイドシート５は、平面視において肌側シート２の縦方向Ｘに沿う左右両側部に重なるように、肌側シート２の縦方向Ｘの全長に亘って配されている。ナプキン１では、一対のサイドシート５，５は、それぞれ、図１に示すように、接合部６にて肌側シート２に接合されている。接合部６の横方向Ｙ外側端よりも内方に、サイドシート５と肌側シート２とが接合されていない空間部が形成され、横方向Ｙの中央から外方へ流れる経血等の体液が該空間部に収容されるようになり、結果として体液の漏れが効果的に防止できる。
【００１７】
ナプキン１は、図１に示すように、縦方向Ｘに沿う左右両側で、サイドフラップ部１Ｓが中間区域Ｂにおいて横方向Ｙの外方に向かって大きく張り出した、一対のウイング部１Ｗ，１Ｗを備えている。また、肌側シート２及び非肌側シート３は、図１に示すように、吸収体４の縦方向Ｘの前端及び後端それぞれから縦方向Ｘの外方に延出し、それらの延出部において、互いに接合されてエンドシール部を形成している。
【００１８】
ナプキン１では、図１に示すように、肌側シート２と吸収性コア４１とが圧搾一体化されることにより、肌側シート２の肌対向面に、肌側シート２及び吸収体４が非肌側シート３側に向かって一体的に凹陥してなる線状圧搾溝７が形成されている。ナプキン１では、線状圧搾溝７は、図１に示すように、吸収体４の前方区域Ａ及び後方区域Ｃそれぞれに横方向Ｙに延びる横圧搾溝７１と、吸収体４の中間区域Ｂの縦方向Ｘに沿う両側部に縦方向Ｘに延びる縦圧搾溝７３とを有しており、全体として環状の全周溝となっている。尚、線状圧搾溝７は、線状に延びていれば、溝の底部の厚みが一定であってもよく、溝の底部の厚みが一定でなくてもよい。線状圧搾溝７は、肌側シート２及び吸収体４に関して、構成部材である各々の繊維の密度が、該線状圧搾溝７の周囲部の密度よりも高くなっている。このようにリング状の全周溝に形成された線状圧搾溝７は、吸収体４の平面方向への体液の拡散を抑制して、ナプキン１の周囲から液漏れを効果的に防止することができる。
【００１９】
ナプキン１では、肌側シート２は、肌対向面側に突出した複数の凸部とその間の凹部を備えた、凹凸構造をなしている。より具体的には、図２に示すように、ナプキン１の肌側シート２は、エンボス部２Ｅで囲まれた大多角形領域ＢＴ内に存在する高凸部２ｔ１と、小多角形領域ＳＴ内に存在する、該高凸部２ｔ１よりも高さの低い低凸部２ｔ２とを複数有している。肌側シート２は、少なくとも吸収性コア４１の後述する高坪量部４２と重なる位置に、肌側シート２の肌対向面側に突出した凸部２ｔを複数有している。ナプキン１では、吸収性コア４１の全域に、肌側シート２の高凸部２ｔ１及び低凸部２ｔ２を有している。ナプキン１の肌側シート２では、高凸部２ｔ１が横方向Ｙに沿って複数配された高凸部列２１Ｌと、低凸部２ｔ２が横方向Ｙに沿って複数配された低凸部列２２Ｌとが、縦方向Ｘに交互に配されている。斯かる構成によれば、肌側シート２の凸部が肌に接触し、凹部は接触しにくいので、そのため、着用者の肌との接触面積を効果的に低減することができ、着用者の肌と肌側シート２との間に通気性を確保し易くなる上に、排泄された体液が肌に接触する液戻りを、べたつき感やムレ感を更に低減することができる。特に、横方向Ｙに配された高凸部列２１Ｌと低凸部列２２Ｌが縦方向Ｘに交互に並ぶ本実施形態では、着用者の肌との接触面積を低減する効果が高く、しかも通気性にも優れる。
【００２０】
ナプキン１の肌側シート２は、肌対向面側に位置する第１層と吸収性コア４１側に位置する第２層とが積層されて形成されている。ナプキン１では、第１層を構成する繊維が非熱収縮性繊維を含む非熱収縮繊維層となっている。また、ナプキン１では、第２層を構成する繊維が熱収縮した熱収縮性繊維を含む熱収縮繊維層となっている。ナプキン１の肌側シート２は、非肌対向面側に配された第２層の熱収縮繊維層の肌対向面上に第１層の非熱収縮繊維層が配された積層構造体となっており、複数のエンボス部２Ｅが形成されたシートである。高凸部２ｔ１と低凸部２ｔ２とは、第１層の非熱収縮繊維層で構成されており、非熱収縮繊維層を構成する同一の繊維で満たされている。このような肌側シート２は特開２０１５−１８６５４３号公報に記載の製造方法によって得ることができる。
【００２１】
次に、ナプキン１では、吸収体４を構成する吸収性コア４１は、図３に示すように、縦方向Ｘの前方区域Ａ側に位置する第一領域４１Ｆ及び後方区域Ｃ側に位置する第三領域４１Ｒを有し、第一領域４１Ｆと第三領域４１Ｒとの間に第二領域４１Ｍを有している。第二領域４１Ｍには、第一領域４１Ｆ側及び第三領域４１Ｒ側における坪量よりも、坪量の多い高坪量部４２を備えている。ナプキン１では、吸収性コア４１の第二領域４１Ｍは、中間区域Ｂに配置されている。ナプキン１では、中間区域Ｂに高坪量部４２を有している。
【００２２】
ナプキン１のように、横方向Ｙ両外側に一対のウイング部１Ｗを備える場合には、各ウイング部１Ｗにおける縦方向Ｘに間隔を空けて配されたウイング部１Ｗの付け根どうし間に第二領域４１Ｍが存在している。つまり、ナプキン１では、第二領域４１Ｍの縦方向Ｘの長さは、各ウイング部１Ｗにおける縦方向Ｘに間隔を空けて配されたウイング部１Ｗの付根どうし間の長さと同一である。
【００２３】
また、ナプキン１では、第二領域４１Ｍは、図４に示すように、後述する中高境界溝部４３及び高密度部４７を除き、第二領域４１Ｍの前方に位置する第一領域４１Ｆ及び第二領域４１Ｍの後方に位置する第三領域４１Ｒの各領域における吸収性コア４１の厚みよりも厚みが厚くなっている。ナプキン１では、吸収性コア４１は、ナプキン１の縦方向Ｘと同方向に長い形状を有する。従って、吸収性コア４１の縦方向は、ナプキン１の縦方向Ｘと同方向であり、吸収性コア４１の横方向は、ナプキン１の横方向Ｙと同方向である。
【００２４】
好適に、ナプキン１では、図４に示すように、高坪量部４２の厚みが、吸収性コア４１における第一領域４１Ｆの厚み及び第三領域４１Ｒの厚みよりも厚く、且つ、吸収性コア４１における第一領域４１Ｆの坪量よりも坪量が高い。高坪量部４２の厚み及び坪量と比較する第一領域４１Ｆ及び第三領域４１Ｒのそれぞれの厚み及び坪量は、第一領域４１Ｆ及び第三領域４１Ｒに後述する溝部４５が形成されている場合には、第一領域４１Ｆ及び第三領域４１Ｒにおける溝部４５が存在しない部分における厚み及び坪量を意味する。ナプキン１の吸収性コア４１は、コア材料の坪量に差を設けて厚み差を設けてあるため、坪量の均一な吸収性コアの一部を圧縮して厚み差を設ける場合とは異なり、吸収性コア４１は、全体として柔軟である。
【００２５】
高坪量部４２の厚みは、高坪量部４２を肌に向かって突出させて、吸収性コア４１の液の吸収性等を向上させる観点から、吸収性コア４１における第一領域４１Ｆ及び第三領域４１Ｒの厚みの、好ましくは１２０％（即ち１．２倍）以上７００％（即ち７倍）以下、より好ましくは１４０％以上５００％以下である。上述した構成は、本実施形態のナプキン１のように高坪量部４２が中間区域Ｂに設けられているときに、特に有効である。具体的に、高坪量部４２の厚みは、好ましくは２ｍｍ以上１０ｍｍ以下、より好ましくは３ｍｍ以上７ｍｍ以下である。尚、高坪量部４２の全範囲において上記厚みの関係になっていることが好ましいが、高坪量部４２の厚み方向に増減が設けられているような場合においては、最も厚い部分において上記の関係となっていればよい。尚、高坪量部４２の全範囲において上記厚みの関係になっていることが好ましいが、高坪量部４２の厚み方向において、横方向Ｙ又は縦方向Ｘ又は、その両方向に漸次的な厚み増減が設けられているような場合においては、最も厚い部分において上記の関係となっていればよい。また、具体的に、第一領域４１Ｆ又は第三領域４１Ｒの厚みは、後述する溝のない部分において、好ましくは０．５ｍｍ以上７ｍｍ以下、より好ましくは１ｍｍ以上３．５ｍｍ以下である。ナプキン１では、第一領域４１Ｆ又は第三領域４１Ｒの厚みは、後述する溝部４５が存在しない部分において、略均一に形成されていることが好ましいが、第一領域４１Ｆ又は第三領域４１Ｒの横方向Ｙ又は縦方向Ｘに漸次的な厚みの増減が設けられているような場合においては、最も厚い部分において上記の関係となっていればよい。
高坪量部４２、第一領域４１Ｆ又は第三領域４１Ｒ、後述する中高隣接部４４等の吸収性コア４１の各部の厚みは、以下の方法によって測定される。
【００２６】
＜吸収性コア４１の各部の厚みの測定方法＞
吸収性コアを水平な場所にシワや折れ曲がりがないように静置し、該吸収性コア４１から測定対象物である各部を切り出す。そして、切り出した測定対象物における５ｃＮ／ｃｍ2の荷重下での厚みを測定する。具体的には、厚みの測定に、例えば、厚み計 PEACOCK DIAL UPRIGHT GAUGES R5-C(OZAKI MFG.CO.LTD.製）を用いる。このとき、厚み計の先端部と切り出した測定対象物との間に、荷重が５ｃＮ／ｃｍ2となるように大きさを調整した平面視円形状又は正方形状のプレート（３０ｍｍ×３０ｍｍ、厚さ５ｍｍ程度のアクリル板）を配置して、厚みを測定する。吸収性コア４１における高坪量部４２の厚みを測定する際には、後述する高密度部４７を含まないように測定する。また、吸収性コア４１における第一領域４１Ｆ又は第三領域４１Ｒ等の厚みを測定する際には、後述する溝部４５を含まないように測定する。
【００２７】
ナプキン１では、吸収性コア４１における高坪量部４２の坪量は、高坪量部４２を肌に向かって突出させ、中間区域における吸収性コアの液の吸収性等を向上させる観点から、好ましくは１００ｇ／ｍ2以上１５００ｇ／ｍ2以下、より好ましくは２００ｇ／ｍ2以上１２００ｇ／ｍ2以下である。また、吸収性コア４１における第一領域４１Ｆの坪量又は第三領域４１Ｒの坪量は、好ましくは５０ｇ／ｍ2以上１０００ｇ／ｍ2以下、より好ましくは１００ｇ／ｍ2以上９００ｇ／ｍ2以下である。高坪量部４２及び各領域４１Ｆ，４１Ｒの坪量は、上述した吸収性コア４１の各部の厚みの測定方法で説明したように切り出した対象測定部分のサンプルの質量を、そのサンプルの肌対向面側の面の面積で除して求める。
【００２８】
第二領域４１Ｍの備える高坪量部４２は、図３に示すように吸収性コア４１を平面視して、高坪量部４２の縦方向Ｘの長さが吸収性コア４１の縦方向Ｘの長さよりも短く、高坪量部４２の縦方向Ｘに沿う両側縁４２ｓ，４２ｓが吸収性コア４１の縦方向Ｘに沿う両側縁４１ｓ，４１ｓにまで及んでいる。好適には、高坪量部４２は、図３に示すように吸収性コア４１を平面視して、高坪量部４２の最大幅部が吸収性コア４１の縦方向Ｘに沿う両側縁に従って縦方向Ｘに所定の長さに延在して形成される中高中央部４２１を有している。中高中央部４２１の最大幅部の横方向Ｙの長さは、吸収性コア４１の幅と同一となっている。尚、ここで吸収性コア４１の幅とは、高坪量部４２を含めた吸収性コア４１の幅を意味する。高坪量部４２の最大幅部は肌側幅と非肌側幅が略同一であることが望ましく、特に厚み方向に略均一であることが望ましい。ナプキン１では、中高中央部４２１は、図３に示すように、最大幅部において、吸収性コア４１の縦方向Ｘに沿う両側縁４１ｓ，４１ｓ間は、一定の間隔であるが、両側縁４１ｓ，４１ｓはそれぞれ、縦方向Ｘに平行であり、且つ直線状となっていることがより好ましい。ただし、側縁形状が波打っている場合等を排除するものではなく、最大幅部の幅の５％程度の差の範囲で吸収性コア４１の幅が変動するものであれば同一の幅とする。
【００２９】
ナプキン１では、高坪量部４２は、図３に示すように吸収性コア４１を平面視して、中高中央部４２１から前方区域Ａ側又は後方区域Ｃ側に向かって高坪量部４２の前記最大幅部よりも横方向Ｙの長さが狭くなっている前方側凸部４２２又は後方側凸部４２３を備えている。ナプキン１では、１個の前方側凸部４２２及び１個の後方側凸部４２３を有している。
【００３０】
ナプキン１では、前方側凸部４２２は、縦方向Ｘに延びる中心線ＣＬ上に前方側凸部４２２の頂部４２２ｔが配され、頂部４２２ｔから吸収性コア４１の縦方向Ｘに沿う側縁４１ｓに亘って直線形状に延びる両側辺４２２ｓ，４２２ｓを備えている。また、ナプキン１では、後方側凸部４２３は、縦方向Ｘに延びる中心線ＣＬ上に後方側凸部４２３の頂部４２３ｔが配され、頂部４２３ｔから吸収性コア４１の縦方向Ｘに沿う側縁４１ｓに亘って直線形状に延びる両側辺４２３ｓ，４２３ｓを備えている。このように、吸収性コア４１を平面視して、高坪量部４２は、縦方向Ｘの長さが、横方向Ｙの中央部から側縁４ｓに向かって漸減する部分を有している。
【００３１】
このように、高坪量部４２は、前方側凸部４２２、帯状に延在する中高中央部４２１及び後方側凸部４２３を有しているので、ナプキン１では、図３に示すように吸収性コア４１を平面視して、高坪量部４２は、横方向Ｙの中央部における縦方向Ｘの長さが、該高坪量部４２の側縁４２ｓの縦方向Ｘの長さよりも長い。また、前方側凸部４２２を形成する両側辺４２２ｓ，４２２ｓが、それぞれ、頂部４２２ｔから吸収性コア４１の縦方向Ｘに沿う側縁４１ｓに亘って直線形状に延びており、後方側凸部４２３を形成する両側辺４２３ｓ，４２３ｓが、それぞれ、頂部４２３ｔから吸収性コア４１の縦方向Ｘに沿う側縁４１ｓに亘って直線形状に延びている。このように、吸収性コア４１を平面視して、高坪量部４２は、縦方向Ｘの長さが、横方向Ｙの中央部から側縁４ｓに向かって漸減する部分を有している。
【００３２】
ナプキン１では、図３に示すように、ナプキン１の吸収性コア４１における前方側凸部４２２では、両側辺４２２ｓ，４２２ｓの間隔（幅ｄ）が、吸収性コア４１の縦方向Ｘに沿う両側縁４１ｓ，４１ｓから頂部４２２ｔに向かって漸減している。同様に、ナプキン１の吸収性コア４１における後方側凸部４２３では、両側辺４２３ｓ，４２３ｓの間隔（幅ｄ）が、吸収性コア４１の縦方向Ｘに沿う両側縁４１ｓ，４１ｓから頂部４２３ｔに向かって漸減している。ここで、幅ｄが漸減しているとは、頂部４２２ｔ，４２３ｔに向かって幅ｄが連続的に少しずつ減少していることである。ナプキン１では、高坪量部が平面視六角形状となっている。
【００３３】
ナプキン１における吸収性コア４１では、一方の側辺４２２ｓと縦方向Ｘに延びる中心線ＣＬとのなす角αは、身体形状へのフィット性及び動きの中での追従性向上の観点から、好ましくは２０°以上７５°以下、より好ましくは３０°以上６０°以下である。後方側凸部４２３も前方側凸部４２２と同様である。
【００３４】
高坪量部４２の中高中央部４２１は、ナプキン１では、図５に示すように断面視して、横方向Ｙの中央部から縦方向Ｘに沿う両側縁部に向かって、その高さが低くなるように形成されていて、中間区域Ｂにおける液の吸収性等を向上させることが可能になっている。この場合、中心線ＣＬ上に配された中央部の高さ（Ｔ１）の、最も高さの小さい側縁４１ｓでの高さ（Ｔ２）に対する比（Ｔ１／Ｔ２）は、着用時に中高部が排泄部へ良好に密着し、かつ違和感ない着用感を得ることができる観点から、１．１以上４以下、特に１．３以上３以下であることが好ましい。
【００３５】
高坪量部４２の中高中央部４２１は、ナプキン１では、図５に示すように断面視して、横方向Ｙの中央部から縦方向Ｘに沿う両側縁部に向かって、その坪量が小さくなるように形成されていて、中間区域における液の吸収性等を向上させることができる。また、ナプキン１の中高中央部４２１は、ナプキン１に予期せぬシワや折れが生じさせない観点から、少なくとも肌当接面側に、吸収性コア４１における第一領域４１Ｆ及び第三領域４１Ｒの坪量よりも坪量が低い凹部を有さない形態となっている。ここで、第一領域４１Ｆ及び第三領域４１Ｒの坪量とは、第一領域４１Ｆ及び第三領域４１Ｒが溝部４５を有する場合には、溝部４５を除いた部分の坪量を意味する。
【００３６】
高坪量部４２の縦方向Ｘの全長Ｌ２は、吸収性コア４１の縦方向Ｘの全長Ｌ１に対して、好ましくは２５％以上９０％以下、より好ましくは３０％以上７５％以下である。全長Ｌ１とは吸収性コア４１の縦方向Ｘにおける最も長い位置での距離を示し、全長Ｌ２とは高坪量部４２の縦方向Ｘにおける最も長い位置での距離を意味する（図３参照）。
【００３７】
高坪量部４２を構成する中高中央部４２１の縦方向Ｘの全長Ｌ３は、高坪量部４２の全長Ｌ２の、好ましくは２０％以上８０％以下、より好ましくは３０％以上７０％以下である。
【００３８】
高坪量部４２を構成する前方側凸部４２２の縦方向Ｘの全長Ｌ４は、高坪量部４２の全長Ｌ２の、好ましくは５％以上５０％以下、より好ましくは１０％以上３０％以下である。高坪量部４２を構成する後方側凸部４２３の縦方向Ｘ全長も、前方側凸部４２２の縦方向Ｘの全長Ｌ４と同様である。尚、全長Ｌ４とは前方側凸部４２２の縦方向Ｘにおける最も長い位置での距離を意味する（図３参照）。
【００３９】
ナプキン１では、図３に示すように、吸収性コア４１は、第二領域４１Ｍに高坪量部４２と高坪量部４２以外の部分との境界を区画する中高境界溝部４３を有している。中高境界溝部４３は、ナプキン１では、高坪量部４２を構成する前方側凸部４２２を形成する両側辺４２２ｓ，４２２ｓに沿って延在する前方中高境界溝部４３ａと、後方側凸部４２３を形成する両側辺４２３ｓ，４２３ｓに沿って延在する後方中高境界溝部４３ｃとを有している。前方中高境界溝部４３ａと後方中高境界溝部４３ｃは、吸収性コア４１の横方向Ｙの全長（全幅）に亘り形成されている。このため、脚部からの吸収性コア４１の幅方向の内側に働く力に対し、ナプキン１の縦方向に縦シワが生じ難く、ナプキン１が身体の形状に沿って３次元的にフィットし易くなる。このように、吸収性コア４１では、前方中高境界溝部４３ａと後方中高境界溝部４３ｃとによって高坪量部４２との境界を区画している。
【００４０】
また、ナプキン１は、図６に示すように、中間区域Ｂにおいて、吸収性コア４１の縦方向Ｘに沿う両側縁４１ｓ，４１ｓにまで及ぶ高坪量部４２と重なる位置に、高坪量部４２の横方向Ｙに沿って、肌側シート２の肌対向面側に突出する高凸部２ｔ１が横方向Ｙに沿って複数配された高凸部列２１Ｌを形成しており、低凸部２ｔ２が横方向Ｙに沿って複数配された低凸部列２２Ｌを形成している。そして、図７に示すように、高坪量部４２と重なる位置に、高凸部列２１Ｌ及び低凸部列２２Ｌが縦方向Ｘに交互に配されている。
【００４１】
ナプキン１では、吸収性コア４１における中高境界溝部４３の溝幅は、中間区域における液の吸収性等を向上させる観点から、好ましくは０．１ｍｍ以上５．０ｍｍ以下、より好ましくは０．５ｍｍ以上３．０ｍｍ以下である。尚、中高境界溝部４３の溝幅及び後述する厚みは、中高境界溝部４３の延びる方向に直交する方向に切断し、切端面の写真から計測する。ナプキン１では、吸収性コア４１における中高境界溝部４３での厚みは中間区域Ｂにおける液の吸収性等を向上させる観点から、好ましくは０．０８ｍｍ以上７．０ｍｍ以下、より好ましくは、０．１５ｍｍ以上３．５ｍｍ以下である。
【００４２】
ナプキン１では、中高境界溝部４３は、高坪量部４２の坪量よりも低く、更に、吸収性コア４１における第一領域４１Ｆの坪量及び第三領域４１Ｒの坪量よりも坪量が低く形成されている。ここで、第一領域４１Ｆの坪量及び第三領域４１Ｒの坪量とは、溝部４５を有する場合には、溝部４５を除いた部分の坪量を意味する。中高境界溝部４３の坪量は、好ましくは１０ｇ／ｍ2以上３５０ｇ／ｍ2以下、より好ましくは２０ｇ／ｍ2以上２５０ｇ／ｍ2以下である。尚、中高境界溝部４３の坪量は、上述した吸収性コア４１の各部の厚みの測定方法で説明したように切り出した中高境界溝部４３の部分のサンプルの質量を、そのサンプルの肌対向面側の面の面積で除して求める。
【００４３】
ナプキン１では、吸収性コア４１は、図３に示すように、その第二領域４１Ｍに、高坪量部４２及び中高境界溝部４３を除く領域に、中高隣接部４４を有している。中高隣接部４４は、第二領域４１Ｍにおいて、高坪量部４２を構成する前方側凸部４２２に隣接する第一領域４１Ｆ側に配された前方中高隣接部４４ａと、高坪量部４２を構成する後方側凸部４２３に隣接する第三領域４１Ｒ側に配された後方中高隣接部４４ｃとを有している。前方中高隣接部４４ａは、縦方向Ｘに延びる中心線ＣＬに対して左右対称に形成されている。前方中高隣接部４４ａにおける、中心線ＣＬよりも吸収性コア４１の縦方向Ｘに沿う一方の側縁４１ｓ側の半分の部分は、縦方向Ｘの長さが、該一方の側縁４１ｓから中心線ＣＬに向かって漸減するように形成されている。後方中高隣接部４４ｃも、前方中高隣接部４４ａと同様に、縦方向Ｘに延びる中心線ＣＬに対して左右対称に形成されている。後方中高隣接部４４ｃにおける、中心線ＣＬよりも吸収性コア４１の縦方向Ｘに沿う一方の側縁４１ｓ側の半分の部分は、縦方向Ｘの長さが、該一方の側縁４１ｓから中心線ＣＬに向かって漸減するように形成されている。
【００４４】
ナプキン１では、中高隣接部４４は、図４に示すように、その厚みが、中高境界溝部４３の厚みよりも大きく、且つ、吸収性コア４１における高坪量部４２の厚みよりも小さい。各中高隣接部４４ａ、４４ｃは、各々の厚みが、隣接する第一領域４１Ｆ及び第三領域４１Ｒの厚みに対して、同じか小さいと身体動作への追従性に優れ、大きいと、繰り返し変形に対する耐性の点で優れる。各中高隣接部４４の厚みは、好ましくは０．５ｍｍ以上１０．０ｍｍ以下、より好ましくは１．０ｍｍ以上７．０ｍｍ以下である。中高隣接部４４の厚みは、上述した吸収性コア４１の各部の厚みの測定方法に基づいて測定される。
【００４５】
ナプキン１では、中高隣接部４４の坪量が、高坪量部４２の坪量より小さく、且つ、中高境界溝部４３の坪量よりも大きい。尚、各中高隣接部４４ａ、４４ｃの坪量は、隣接する第一領域４１Ｆ及び第三領域４１Ｒの坪量に対して、同じか小さいと身体動作への追従性に優れ、大きいと繰り返し変形に対する耐性の点で優れる。中高隣接部４４の坪量は、好ましくは２０ｇ／ｍ2以上８００ｇ／ｍ2以下、より好ましくは５０ｇ／ｍ2以上７００ｇ／ｍ2以下である。尚、中高隣接部４４の坪量は、上述した吸収性コア４１の各部の厚みの測定方法で説明したように切り出した中高隣接部４４のサンプルの質量を、そのサンプルの肌対向面側の面の面積で除して求める。
【００４６】
ナプキン１では、図３に示すように、吸収性コア４１における第一領域４１Ｆ及び第三領域４１Ｒに、周囲よりも坪量が小さい溝部４５を備え、溝部４５が縦方向Ｘに延びる縦溝４５Ｘと横方向Ｙに延びる横溝４５Ｙとを有している。ナプキン１では、第一領域４１Ｆ及び第三領域４１Ｒは、それぞれ、相対的に坪量が小さい溝部４５と相対的に坪量が大きい小吸収部４６とを有している。好適には、溝部４５は、縦方向Ｘに延びる縦溝４５Ｘと、横方向Ｙに延びる横溝４５Ｙとからなる。そして、縦方向Ｘに延びる縦溝４５Ｘは、横方向Ｙに一定の間隔を空けて配され、横方向Ｙに延びる横溝４５Ｙは、縦方向Ｘに一定の間隔を空けて配されている。小吸収部４６は、縦溝４５Ｘ及び横溝４５Ｙで区画された格子の目の位置に配されている。上述した第一領域４１Ｆ及び第三領域４１Ｒの厚み及び坪量とは、小吸収部４６の厚み及び坪量を意味する。
【００４７】
ナプキン１では、第一領域４１Ｆ及び第三領域４１Ｒに溝部４５及び小吸収部４６を有し、第二領域４１Ｍに高坪量部４２、中高境界溝部４３及び中高隣接部４４を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００４８】
上述したナプキン１の吸収性コア４１は、例えば、図８（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００４９】
また、図８（ａ）に示すように、１個の集積用凹部５５の底面５６の一部には、吸収性コア４１の第二領域４１Ｍを形成するための１つの凹部５６ｂが形成されている。また、凹部５６ｂには、その底面に、高坪量部４２と中高隣接部４４とを区分する中高境界溝部４３を形成するための第１難通気性部材５７が配置されている。第１難通気性部材５７は、中高境界溝部４３に対応する位置に配され、凹部５６ｂの底面から突出するように固定されている。また、凹部５６ｂに隣接する回転方向Ｒの上流側領域及び下流側領域の底面５６には、溝部４５を形成するための第２難通気性部材５８が配置されている。第２難通気性部材５８は、縦溝４５Ｘ及び横溝４５Ｙに対応する位置に配され、集積用凹部５５の底面５６から突出するように固定されている。第１難通気性部材５７及び第２難通気性部材５８は、非通気性部材であっても良く、例えば金属やプラスチック、セラミック等からなる。
【００５０】
積繊ドラムを備えた公知の積繊装置と同様に、集積用凹部５５の底面から吸引しつつ、ダクト内に、吸水性ポリマーとパルプ繊維とを混合したコア材料を供給することによって、図８（ｂ）に示すように、コア材料が集積用凹部５５内に所定形状に堆積する。その堆積物４０を、集積用凹部５５から離型することで、吸収性コア４１の前駆体が得られる。吸収性コア４１の前駆体は、コアラップシート（不図示）で被覆された後に、ロータリーカッター等でカットされ、搬送方向にベルトコンベア等の搬送手段によって搬送される。このようにして吸収性コア４１が得られる。このようにして得られたコアラップシート（不図示）で被覆された吸収性コア４１は、一対のロール間に単回又は複数回通すこと等により、全体又は部分的に加圧し適度に圧縮させる。これにより、凹部５６ｂに堆積した部分が、坪量及び厚みともに相対的に大きい高坪量部４２となる。同様に、凹部５６ｂに隣接する上流側領域及び下流側領域に堆積したコア材料からなる部分が、坪量が相対的に小さい吸収性コア４１における第一領域４１Ｆ及び第三領域４１Ｒとなる。また、凹部５６ｂの第１難通気性部材５７上に堆積したコア材料からなる部分が、第一領域４１Ｆの坪量及び第三領域４１Ｒの坪量よりも相対的に小さい中高境界溝部４３となる。凹部５６ｂに隣接する上流側領域及び下流側領域の第２難通気性部材５８上に堆積したコア材料からなる部分が、小吸収部４６の坪量よりも相対的に小さい溝部４５となる。
【００５１】
ナプキン１の高坪量部４２には、図１、図３及び図６に示すように、互いに離間した、構成繊維の密度がその隣接部よりも高くなった複数の高密度部４７が配されている。各高密度部４７は、吸収性コア４１をコアラップシート（不図示）で包んで形成された吸収体４の肌対向面側から非肌対向面側に向かって凹状に窪んで形成されている。好適に、各高密度部４７は、圧縮により相対的に構成繊維の密度の高くなった圧縮部から形成されている。従って、高坪量部４２は、圧縮により構成繊維の密度の高くなった高密度部４７と、高密度部４７以外の非圧縮部である低密度部とに区分されている。
【００５２】
ナプキン１では、各高密度部４７は、図９に示すように、吸収体４の肌対向面側のみが凹状に窪んで形成されている。吸収体４は、高密度部４７が、高密度部４７及び線状圧搾溝７以外の部位よりも圧密化されている。ナプキン１の高密度部４７は、例えば、吸収性コア４１をコアラップシート（不図示）で包んで形成された吸収体４に対してエンボス加工を施すことにより形成することができる。
【００５３】
高密度部４７は、吸収性コア４１を肌対向面側から平面視した際の形状が、円形、楕円形、正方形、長方形、三角形など種々の形状を採用することが可能であるが、ナプキン１では、図３に示すように、円形を採用している。各高密度部４７は、平面視した際の面積が、図２に示す肌側シート２の各小多角形領域ＳＴの面積よりも大きく、更に、各大多角形領域ＢＴの面積よりも大きいことが好ましく、具体的には、０．５ｍｍ2以上５０ｍｍ2以下であることが好ましく、１ｍｍ2以上３０ｍｍ2以下であることが更に好ましい。
【００５４】
高密度部４７は、高坪量部４２において、一対の縦圧搾溝７３，７３で挟まれた領域に配されていることが好ましい。ナプキン１では、高密度部４７は、図６に示すように、一対の縦圧搾溝７３，７３で挟まれた領域内と、その横方向Ｙ外方の領域にも配されている。ナプキン１では、高密度部４７は、図３及び図６に示すように、略千鳥状に配されている。ここで千鳥状とは、高密度部４７が縦方向Ｘに等間隔を空けて配された高密度部４７の列が、横方向Ｙに等間隔を空けて複数列配されており、横方向Ｙに隣り合う高密度部４７の列を構成する最も近い高密度部４７，４７どうしが半ピッチ縦方向Ｘにずれている配列をいう。
【００５５】
高密度部４７は、単位面積当たりの配置数が、０．３個／ｃｍ2以上１０個／ｃｍ2以下であることが好ましく、０．５個／ｃｍ2以上５個／ｃｍ2以下であることが更に好ましい。
【００５６】
上述した本実施形態のナプキン１の各構成部材の形成材料については、当該技術分野で公知のものを使用することができる。非肌側シート３は、難透液性又は、不透過性を有することが好ましく、坪量が１０〜５０ｇ／ｍ2であり、厚さが、８〜２００μｍであることが好ましい。吸収性コア４１のコア材料は、パルプ繊維や吸水性ポリマーを使用することができる。また、吸収性コア４１には、消臭剤や抗菌剤等を必要に応じて配合しても良い。吸収性コア４１を被覆するコアラップシート（不図示）を使用する場合、ティッシュペーパー、透水性の不織布等が使用できる。サイドシート５としては、液不透過性又は撥水性の樹脂フィルム、樹脂フィルムと不織布との積層体等を用いることができる。サイドシート５と肌側シート２とを接合する接合部６は熱シール加工により常法に従って形成することができる。
【００５７】
上述したナプキン１によれば、図１及び図３に示すように、吸収性コア４１の縦方向Ｘに沿う両側縁４１ｓ，４１ｓにまで及ぶ高坪量部４２を吸収性コア４１が備えている。その為、ナプキン１の着用中に、より安定的に大量の血液などの体液が十分に吸収できると共に、体液の横方向Ｙへの拡散が制御できる。また、図３及び図９に示すように、高坪量部４２には、互いに離間した、構成繊維の密度の高くなった複数の高密度部４７が配されている。その為、肌側シート２に排泄された体液が、高坪量部４２の複数の高密度部４７に引き込まれ易く、高坪量部４２全体を活用でき、十分な吸収性能が発現できる。また、高坪量部４２に局所的に高密度部４７が存在することによって、吸収性コア４１を備える吸収体４の柔軟性が向上して、着用者にナプキン１がフィットし易く、ナプキン１の着用感が優れるようになる。
【００５８】
また、ナプキン１では、吸収性コア４１を平面視して、高坪量部４２は、横方向Ｙの中央部における縦方向Ｘの長さが、該高坪量部４２の側縁４２ｓの縦方向Ｘの長さよりも長く形成されている。図３に示すように、ナプキン１では、高坪量部４２が、前方側凸部４２２、中高中央部４２１及び後方側凸部４２３に区分されている。その為、ナプキン１が多少ズレた状態で着用されても、高坪量部４２が前方側凸部４２２及び後方側凸部４２３の何れか一方を有していれば、両大腿部からナプキン１の横方向Ｙ内側への力に対し、前方側凸部４２２及び後方側凸部４２３が変形することで、高坪量部４２が身体形状へのフィット性に優れ、着用者に違和感を与え難くなっている。特に、ナプキン１では、前方側凸部４２２を形成する両側辺４２２ｓ，４２２ｓが頂部４２２ｔから吸収性コア４１の縦方向Ｘに沿う側縁４１ｓに亘って直線形状に延びており、後方側凸部４２３を形成する両側辺４２３ｓ，４２３ｓが頂部４２３ｔから吸収性コア４１の縦方向Ｘに沿う側縁４１ｓに亘って直線形状に延びている。このように、吸収性コア４１を平面視して、高坪量部４２は、縦方向Ｘの長さが、横方向Ｙの中央部から側縁４ｓに向かって漸減する部分を有しているので、高坪量部４２の身体形状への追従性が更に向上する。
【００５９】
また、ナプキン１では、図１に示すように、肌側シート２と吸収性コア４１とが一体的に凹陥してなる線状圧搾溝７を有する。特にナプキン１では、吸収性コア４１の高密度部４７が、高坪量部４２における一対の縦圧搾溝７３，７３で挟まれた領域に配されているので、肌側シート２に排泄された体液が、高坪量部４２の複数の高密度部４７に引き込まれ易く、吸収体４の吸収性能を十分に発現できる。
【００６０】
また、ナプキン１では、図６及び図９に示すように、肌側シート２が吸収性コア４１の高坪量部４２と重なる位置に肌対向面側に突出した凸部２ｔを複数有している。その為、肌側シート２の凸部２ｔによる着用者の肌と接触する面積の減少と相俟って、一度吸収体４に吸収された体液の肌への液戻り性が大幅に改善でき、着用時のべたつき感やムレ感が低減する。このように、ナプキン１によれば、十分な吸収性能が発現できると共に、着用時のべたつき感やムレ感が低減して着用感に優れる。
【００６１】
また、ナプキン１では、肌側シート２の高凸部２ｔ１と低凸部２ｔ２とが、非熱収縮繊維層を構成する同一の繊維で満たされている。また、第１層の非熱収縮繊維層が非熱収縮性繊維を含み、第２層の熱収縮繊維層が熱収縮した熱収縮性繊維を含んでいるので、第２層の熱収縮繊維層によって肌側シート２に排泄された体液を横方向Ｙに適度な速度で更に拡がらせることができる。
【００６２】
また、ナプキン１では、図６に示すように、高坪量部４２と重なる位置に、高坪量部４２の横方向Ｙに沿って、肌側シート２の肌対向面側に突出する高凸部２ｔ１が横方向Ｙに沿って複数配された高凸部列２１Ｌを形成し、低凸部２ｔ２が横方向Ｙに沿って複数配された低凸部列２２Ｌを形成しており、高坪量部４２と重なる位置に、高凸部列２１Ｌ及び低凸部列２２Ｌが縦方向Ｘに交互に配されている。その為、肌側シート２に排泄された体液が、横方向Ｙに適度な速度で拡がり易く、拡がった体液を吸収体４の高密度部４７が素早く捕捉するので、十分な吸収性能が発現できると共に、着用時のべたつき感やムレ感が低減して着用感に優れる。
【００６３】
また、ナプキン１では、図３に示すように吸収性コア４１を平面視して、吸収性コア４１における第一領域４１Ｆ及び第三領域４１Ｒに、周囲よりも坪量が小さい溝部４５を備え、溝部４５が縦方向Ｘに延びる縦溝４５Ｘと横方向Ｙに延びる横溝４５Ｙとを有している。その為、高坪量部４２が身体形状への追従性に優れると共に、肌側シート２の高凸部２ｔ１及び低凸部２ｔ２により着用者の肌と接触する面積の減少と相俟って、着用時の着用感が向上する。
【００６４】
以上、本発明をその好ましい実施形態に基づき説明したが、本発明の吸収性物品は本実施形態のナプキン１に何ら制限されるものではなく、適宜変更可能である。
【００６５】
また、ナプキン１の吸収性コア４１は、その全体が一体成形されているが、一体成形されていなくてもよい。例えば、吸収性コア４１において、第一領域４１Ｆから第三領域４１Ｒに亘って同じ高さにコア材料で形成しておき、次に、別のコア材料で形成されたものを配置して高坪量部４２を形成してもよい。
【００６６】
また、ナプキン１の吸収性コア４１における高坪量部４２は、図１０に示すような形態であってもよい。図１０に示す吸収性コア４１においては、第一領域４１Ｆ側及び第三領域４１Ｒ側における坪量よりも坪量の多い高坪量部４２が、吸収性コア４１の縦方向Ｘに長い縦長形状を有する中央高坪量部４２ＢＣと、中央高坪量部４２ＢＣの縦方向Ｘに沿う両側縁それぞれから横方向Ｙ外方に延出して吸収性コア４１の縦方向Ｘに沿う両側縁４１ｓ，４１ｓにまで及ぶ側方高坪量部４２ＢＳ，４２ＢＳとを有する。中央高坪量部４２ＢＣは、中間区域Ｂのみに形成されていても良いが、図１０に示す吸収性コア４１では、中間区域Ｂから後方区域Ｃの一部に亘って延在している。また、一対の側方高坪量部４２ＢＳ，４２ＢＳが、中間区域Ｂ内に形成されている。中間区域Ｂから後方区域Ｃの一部に亘って延在する中央高坪量部４２ＢＣは、第三領域４１Ｒにおける中央高坪量部４２ＢＣを除く周辺の坪量よりも坪量が多く形成されている。側方高坪量部４２ＢＳは、第一領域４１Ｆ及び第三領域４１Ｒにおける坪量よりも坪量が多く形成されている。中央高坪量部４２ＢＣ及び一対の側方高坪量部４２ＢＳ，４２ＢＳを有する高坪量部４２は、図１０に示すように、横方向Ｙの中央部における縦方向Ｘの長さが、該高坪量部４２の側縁４２ｓの縦方向Ｘの長さよりも長く形成されている。
【００６７】
図１０に示す吸収性コア４１においては、高坪量部４２は、厚みの薄い中高部溝部４３ｍを有している。ここで「厚みの薄い中高部溝部４３ｍ」とは、厚み方向Ｚに薄くても厚みを有する有底である場合と、吸収性コアの構成材料を全く存在せずに吸収性コアを貫通している場合の双方を含んでおり、高坪量部４２における他の部位よりも厚みが薄くなっている部位のことを意味する。ナプキン１では、中高部溝部４３ｍは、その底部の坪量が、吸収性コア４１の他の領域、具体的には、第一領域４１Ｆ及び第三領域４１Ｒの小吸収部４６の坪量よりも低くなっている。
【００６８】
図１０に示す吸収性コア４１においては、中高部溝部４３ｍは、高坪量部４２の輪郭に沿って延びる外周中高境界溝部４３ｍａを有している。ナプキン１では、図１０に示すように、吸収性コア４１の高坪量部４２は、相対的に坪量が低い中高部溝部４３ｍと相対的に坪量が高く中高部溝部４３ｍで囲まれた複数の中高部小吸収部４３ｋとを有するブロック構造が、縦方向Ｘに複数配されたブロック領域を有している。中高部溝部４３ｍは、外周中高境界溝部４３ｍａと、外周中高境界溝部４３ｍａ以外に、吸収性コア４１の横方向Ｙに延びる横中高部溝部４３ｍｙと、吸収性コア４１の縦方向Ｘに延びる縦中高部溝部４３ｍｘとを有している。横中高部溝部４３ｍｙは、吸収性コア４１の第一領域４１Ｆ及び第三領域４１Ｒに配された横方向Ｙに延びる横溝４５Ｙと連続して一直線上に形成されている。また、縦中高部溝部４３ｍｘは、吸収性コア４１の第一領域４１Ｆ及び第三領域４１Ｒに配された縦方向Ｘに延びる縦溝４５Ｘと連続して一直線上に形成されている。吸収性コア４１の中高部溝部４３ｍは、横溝４５Ｙ及び縦溝４５Ｘと同様に、肌対向面側に開口している。
【００６９】
図１０に示すように吸収性コア４１を平面視して、複数の高密度部４７は、高坪量部４２の横方向Ｙの中央部に配されている。図１０に示す吸収性コア４１を備えるナプキン１では、複数の高密度部４７は、高坪量部４２の中央高坪量部４２ＢＣに配されており、高坪量部４２の中央高坪量部４２ＢＣの備える各中高部小吸収部４３ｋに配されていることが好ましく、中高部溝部４３ｍと重ならない位置に配されていることが好ましい。該ナプキン１では、複数の高密度部４７は、高坪量部４２の一対の側方高坪量部４２ＢＳ，４２ＢＳには配されていない。該ナプキン１では、上述した図３に示す吸収性コア４１を備えるナプキン１と同様の効果を奏する。
【００７０】
また、図１０に示す吸収性コア４１を備えるナプキン１では、高密度部４７においては、肌側シート２及び吸収性コア４１が共に密度が高くなっている。具体的に、該ナプキン１では、図１１に示すように、各高密度部４７は、肌側シート２と共に吸収体４が凹状に窪んでおり、肌側シート２の肌対向面側から非肌側シート３に向かって肌側シート２及び吸収体４が圧密化されて形成されている。このように肌側シート２及び吸収性コア４１が共に、周辺の密度よりも密度が高くなっている。該ナプキン１では、上述した図９に示すナプキン１と同様の効果を奏すると共に、高密度部４７で肌側シート２及び吸収性コア４１の密度が共に高くなっているので、吸収性コア４１への体液の引き込み力が向上し、吸収性コア４１内での体液の拡散性が更に向上する。
【００７１】
尚、図１０に示す吸収性コア４１においては、中央高坪量部４２ＢＣが、中間区域Ｂから後方区域Ｃの一部に亘って延在しているが、中間区域Ｂから前方区域Ａの一部に亘って延在していてもよく、中間区域Ｂから前方区域Ａの一部に亘って延在すると共に後方区域Ｃの一部に亘って延在していてもよい。
【００７２】
また、図１０に示す吸収性コア４１においては、複数の高密度部４７は、高坪量部４２の一対の側方高坪量部４２ＢＳ，４２ＢＳには配されておらず、高坪量部４２の中央高坪量部４２ＢＣに配されているが、一対の側方高坪量部４２ＢＳ，４２ＢＳ及び中央高坪量部４２ＢＣに配されていてもよい。また、図３に示す吸収性コア４１においては、複数の高密度部４７は、高坪量部４２の全域に分散して配されているが、高坪量部４２の横方向Ｙの中央部にのみ配されていてもよい。また、図９及び図１１に示すナプキン１では、高密度部４７を肌対向面側から非肌対向面側に向かって窪むように形成しているが、高密度部４７を非肌対向面側から肌対向面側に向かって窪むように形成してもよい。
【００７３】
また、ナプキン１の肌側シート２に代えて、特開２００９−５１２号公報記載のような均一な凸部を備えるものや、凸部を有さないフラットなシートでもよい。
【００７４】
また、ナプキン１の吸収性コア４１は、溝部４５を肌対向面側から非肌対向面側に向かって窪むように形成しているが、溝部４５を非肌対向面側から肌対向面側に向かって窪むように形成してもよい。これにより、液拡散性及び液保持性が向上する。
【００７５】
また、本発明の吸収性物品は、生理用ナプキンの他、パンティライナー（おりものシート）、失禁パッド等であってもよい。
【符号の説明】
【００７６】
１  生理用ナプキン（吸収性物品）
Ａ  前方区域
Ｂ  中間区域
Ｃ  後方区域
２  肌側シート
２ｔ  凸部
２ｔ１  高凸部
２１Ｌ  高凸部列
２ｔ２  低凸部
２２Ｌ  低凸部列
２Ｅ  エンボス部
３  非肌側シート
４  吸収体
４１  吸収性コア
４１Ｆ  吸収性コアの第一領域
４１Ｍ  吸収性コアの第二領域
４１Ｒ  吸収性コアの第三領域
４２  高坪量部
４２１  中高中央部
４２２  前方側凸部
４２３  後方側凸部
４３  中高境界溝部
４４  中高隣接部
４５  溝部
４６  小吸収部
４７  高密度部
５  サイドシート
６  接合部
７  線状圧搾溝
【図１】
2018102641.tif 000003
【図２】
2018102641.tif 000004
【図３】
2018102641.tif 000005
【図４】
2018102641.tif 000006
【図５】
2018102641.tif 000007
【図６】
2018102641.tif 000008
【図７】
2018102641.tif 000009
【図８】
2018102641.tif 000010
【図９】
2018102641.tif 000011
【図１０】
2018102641.tif 000012
【図１１】
2018102641.tif 000013